(57)【要約】【課題】  床や柱に金具を取り付ける必要がなく移動も容易であり、使用時及び保管時の如何なる状態において地震が発生した場合でも前面側及び背面側への転倒防止を図ることができる、オルガン転倒防止具を得る。【解決手段】  平板状の鋼材をＬ字型となるよう直角に曲げたフレーム３の短辺側内面先端部と長辺側内面先端部に補強用のシャフト５を斜設し、該フレーム３の短辺側外面を床１８に接触させると共に長辺側外面をオルガン２の背面の左右端部において固定金具８により係着して固定する。また、前記オルガン転倒防止具１を配設したオルガン２の重心を下げるため、ウェイト４として角柱又は円柱状の鋼材を左右のフレーム３の直角部内面に架設して構成する。【選択図】        図１
0003101890.tif 000002
【実用新案登録請求の範囲】
【請求項１】
平板状の鋼材をＬ字型となるよう直角に曲げたフレーム（３）の短辺側内面先端部と長辺側内面先端部に補強用のシャフト（５）を斜設し、該フレーム（３）の短辺側外面を床面（１８）に接触させると共に長辺側外面をオルガン（２）の背面の左右端部において固定金具（８）により係着して固定し、
また、前記オルガン転倒防止具（１）を配設したオルガン（２）の重心を下げるため、ウェイト（４）として角柱又は円柱状の鋼材を左右のフレーム（３）の直角部内面に架設して構成したことを特徴とする、オルガン転倒防止具。
【考案の詳細な説明】
【技術分野】
【０００１】  本考案は、幼稚園や保育園及び小学校等の音楽授業で使用するオルガンに関し、地震発生時において当該オルガンの転倒防止を図ることができる、オルガン転倒防止具に関するものである。
【背景技術】
【０００２】  従来、幼稚園や保育園及び小学校等の音楽授業において、オルガンや電子ピアノ又はアップライトピアノが広く使用されている。（以後、個別に説明する以外は単にオルガンと称する。）【０００３】  該オルガンの地震発生時における転倒防止策として、オルガンと床との間に専用金具を介してワイヤーを張りターンバックルで固定する方法や、オルガンの背面と柱を固定金具で連結固定する方法（特許文献１）がある。また、特にアップライトピアノにおいて、金属フレームで形成した転倒防止装置を当該アップライトピアノの背面に設置することにより転倒防止を図った装置（特許文献２，３）がある。更に、オルガンの保管時において、オルガンの側面と壁を専用脱着具を介してベルトで張着する方法がある。
【特許文献１】特開平０９−１５２０９２号公報
【特許文献２】特開２００１−３０６０６１号公報
【特許文献３】実用新案登録第３０２４２２９号公報
【考案の開示】
【考案が解決しようとする課題】
【０００４】  しかしながら、上記オルガンと床との間に専用金具を介してワイヤーを張りターンバックルで固定する方法や、オルガンの背面と柱を固定金具で連結固定する方法では、一度床や柱にオルガンを固定してしまうと移動が容易に行えないという問題点と、仮に移動できても床や柱に金具が残ってしまうため危険であるという問題点があった。また、金属フレームで形成した転倒防止装置をアップライトピアノの背面に設置することにより転倒防止を図った装置では、背面側への転倒防止は図れるが前面側への転倒防止が図れないという問題点があった。更に、保管時においてのみ転倒防止を行う方法では、音楽の授業中に園児や生徒がオルガンの周囲にいた時の転倒防止が必要であるにも関わらず、必要時に転倒防止が成されないという問題点があった。【０００５】  本考案は、以上のような問題点を解決するために成されたものであり、床や柱に金具を取り付ける必要がなく移動も容易であり、使用時及び保管時の如何なる状態において地震が発生した場合でも前面側及び背面側への転倒防止を図ることができる、オルガン転倒防止具を提供することを目的とする。
【課題を解決するための手段】
【０００６】  上記課題を解決するため、本考案のオルガン転倒防止具においては、平板状の鋼材をＬ字型となるよう直角に曲げたフレームの短辺側内面先端部と長辺側内面先端部に補強用のシャフトを斜設し、該フレームの短辺側外面を床に接触させると共に長辺側外面をオルガンの背面の左右端部において固定金具により係着して固定する。また、前記オルガン転倒防止具を配設したオルガンの重心を下げるため、ウェイトとして角柱又は円柱状の鋼材を左右のフレームの直角部内面に架設して構成する。
【考案の効果】
【０００７】  本考案のオルガン転倒防止具を幼稚園や保育園及び小学校等の音楽授業で使用するオルガンの背面に予め配設しておけば、地震発生時において前面側及び背面側のどちら側においても転倒防止を図ることができるという絶大なる効果を奏する。また、床や柱に金具を取り付ける必要がないため移動も容易に行えるという効果も奏する。
【考案を実施するための最良の形態】
【０００８】  本考案を実施するための最良の形態を図を用いて説明する。図１は本考案のオルガン転倒防止具をオルガンに取り付けた状態の斜視図である。また、図２は本考案のオルガン転倒防止具をオルガンに取り付けた状態の側面図であり、図３は本考案のオルガン転倒防止具をオルガンに取り付けた状態の正面図である。【０００９】  該図に示すように、本考案のオルガン転倒防止具１は、平板状の鋼材をＬ字型となるよう直角に曲げたフレーム３の短辺側内面先端部と長辺側内面先端部に補強用のシャフト５を斜設し、該フレーム３の短辺側外面を床１８に接触させると共に長辺側外面をオルガン２の背面側の左右端部において固定金具８により係着して固定する。前記シャフト５のフレーム３への固定手段は、溶接が好適である。また、該シャフト５の形状は、園児や生徒が接触した時の安全性を考慮して丸型の金属パイプ又は金属棒が好適であるが、角丸めをした角型の金属パイプ又は金属棒を使用してもよく、特に限定するものではない。【００１０】  次に、上記オルガン転倒防止具１を配設したオルガン２の重心を下げて安定性を増大させるため、ウェイト４として角柱又は円柱状の鋼材を左右のフレーム３の直角部内面に架設する。該ウェイト４のフレーム３への固定手段として、ネジ止めが好適である。また、図１〜図３においてウェイト４の形状は角柱状の鋼材として描いているが、ネジ止めが確実に行えるように考慮されていれば、円柱状の鋼材を使用しても構わない。【００１１】  また、図４は本考案のオルガン転倒防止具の固定金具の詳細図であり（ａ）は正面図（ｂ）は側面図（ｃ）は平面図であり、図５は本考案のオルガン転倒防止具の固定金具をオルガンに固定した状態の正面図である。【００１２】  該図に示すように、固定金具８は、平板状の鋼材である本体９に、ボルト１４による締着位置をスライドさせるための長穴１１と、該ボルト１４の頭を本体９内に隠すための溝１２を穿孔し、更に一端部にネジ穴１３を複数個穿孔した側板１０を溶接等により固着して構成する。そして、左右のフレーム３の長辺側の上下２箇所に穿孔した穴１５に当該固定金具８をオルガン２の背面の側部を挟むよう左右対称に係着する。
【実施例１】
【００１３】  本考案のオルガン転倒防止具１の配設実施例を図を用いて詳しく説明する。図１〜図３に示すように、まず、本考案のオルガン転倒防止具１をオルガン２に配設するため、オルガン２の背面の側部に固定金具８を固定する。この場合、固定金具８の長穴１１にボルト１４を通してフレーム３の穴１５と連通し、ナット１６で仮止めしておく。また、ウェイト４は予めフレーム３に架設して固定しておく。そして、固定金具８の本体９と側板１０をオルガン２の背面の側部に密着するようにスライドし、側板１０のネジ穴１３よりネジ１７をオルガン２の背面側の側面より螺着して固定する。その後、フレーム３の配設状態を調整してナット１６を締着することにより、オルガン２とオルガン転倒防止具１とが一体に固定される。なお、ナット１６の形状は、園児や生徒が接触したときの安全性を考慮して図示するような袋ナットが好適であるが、特に限定するものではない。【００１４】  上記のように、オルガン２の背面にオルガン転倒防止具１を配設することにより、オルガン２の底面積が実質上増大することになる。例えば、フレーム３の短辺側の長さを３００ｍｍとし、オルガン２の奥行を４２０ｍｍ，幅を９５０ｍｍとした場合、オルガン転倒防止具１を配設することにより底面積が約７０％増大することになる。また、ウェイト４を固定することにより、オルガン転倒防止具１の自重は約２０Ｋｇとなって重心が下がり、更に安定性が向上する。このため、震度６以上の地震発生時においても前面側及び背面側への転倒防止を図ることが可能となる。なお、オルガン２を移動する必要がなく床１８に常時固定しておいても構わない場合や、地震発生時において更なる安定性を必要とする場合には、フレーム３の短辺側に２箇所程度穴１９を穿孔し、該穴１９よりネジ（図示せず）を床１８に螺着するようにしても構わない。【００１５】  また、左右のフレーム３の長辺部の上端部に受具７を配設すると共に当該受具７にシャフト６を係着しておけば、該シャフト６に籠を吊り下げて楽譜等を入れたり、Ｓ字金具を掛けて小物等を吊り下げることができて好適である。【００１６】  なお、図１〜図３に示すオルガン転倒防止具１は、オルガン２の幅が一般的に使用されている８００〜９５０ｍｍ程度のものとして描いているが、オルガン２の幅が１２００ｍｍ程度の幅広タイプの場合にはウェイト４及びシャフト６の長さを１０００ｍｍ程度に延長したタイプに変更することにより固定可能となる。この場合、オルガン２の幅の伸張に合わせてウェイト４及びシャフト６の長さを伸張するだけなので、フレーム３の長辺側の上下２箇所に係着した固定金具８をオルガン２の背面側に固定する方法は同じである。
【産業上の利用可能性】
【００１７】  本考案のオルガン転倒防止具１は、地震発生時におけるオルガン２の転倒防止を図るために考案されたものであるが、オルガン２だけでなく本棚やテレビ台等の家具類や商品ケースなど、自立した箱物の転倒防止にも利用可能である。
【図面の簡単な説明】
【００１８】
【図１】本考案のオルガン転倒防止具をオルガンに取り付けた状態の斜視図である。
【図２】本考案のオルガン転倒防止具をオルガンに取り付けた状態の側面図である。
【図３】本考案のオルガン転倒防止具をオルガンに取り付けた状態の正面図である。
【図４】本考案のオルガン転倒防止具の固定金具の詳細図であり（ａ）は正面図（ｂ）は側面図（ｃ）は平面図である。
【図５】本考案のオルガン転倒防止具の固定金具をオルガンに固定した状態の正面図である。
【符号の説明】
【００１９】１  オルガン転倒防止具
２  オルガン
３  フレーム
４  ウェイト
５  シャフト
６  シャフト
７  受具
８  固定金具
９  本体
１０  側板
１１  長穴
１２  溝
１３  穴
１４  ボルト
１５  穴
１６  ナット
１７  ネジ
１８  床
１９  穴
【図１】
0003101890.tif 000003
【図２】
0003101890.tif 000004
【図３】
0003101890.tif 000005
【図４】
0003101890.tif 000006
【図５】
0003101890.tif 000007